(57)【要約】【課題】連段窓の連結部のうち、該連段窓の外周部となる部位における水密性能を向上させることができる連段窓を提供する。【解決手段】縦枠及び横枠が枠組みされて形成された枠体と、その枠内に配置されるパネルと、を備える窓ユニットが、縦又は横の少なくとも一方に並べられて連結されて構成される連段窓１であって、窓ユニットの連結部には、少なくとも１つの止水ライン５０ｅが設けられ、窓ユニットの連結部のうち、連段窓の外周端部側には１つの止水ラインに接するように設けられ、該接する部位にシール部材が具備される端部部材５５が配置されるものとする。【選択図】図４
2011236608.tif 000002
【特許請求の範囲】
【請求項１】
縦枠及び横枠が枠組みされて形成された枠体と、その枠内に配置されるパネルと、を備える窓ユニットが、縦又は横の少なくとも一方に並べられて連結されて構成される連段窓であって、
前記窓ユニットの連結部には、少なくとも１つの止水ラインが設けられ、
前記窓ユニットの連結部の内側のうち、前記連段窓の外周端部側には前記１つの止水ラインに接するように設けられ、該接する部位にシール部材が具備される端部部材が配置される、連段窓。
【請求項２】
前記少なくとも１つの止水ラインの見込み方向室外側となる部位に、他の止水ラインが設けられることを特徴とする請求項１に記載の連段窓。
【請求項３】
前記端部部材のうち、前記連段窓の外周端部側となる面には、前記端部部材、及び前記縦枠又は前記横枠の端部を覆うように板状の被覆部材が取り付けられていることを特徴とする請求項１又は２に記載の連段窓。
【発明の詳細な説明】
【技術分野】
【０００１】
本発明は、建物の開口部に備えられる連段窓に関する。
【背景技術】
【０００２】
近年における建物の多様化により、建物各部に備えられる窓、扉等のいわゆる開口部装置にも多種多様なものが提案されている。このような開口部装置の中に、連段窓と呼ばれる窓がある。連段窓は、枠体と枠体内に具備されたパネルとが備えられる窓ユニットで１単位を形成し、この窓ユニットが縦横に並べられてなる窓である。通常は、窓ユニットが横に並べられたものを連窓、窓ユニットが縦に並べられたものを段窓、窓ユニットが縦横に並べられたものを連段窓とよぶことが多い。ただし、ここではその別による限定はないので、わかりやすさのため、連窓、段窓、及び連段窓の総称として「連段窓」と記載する。
【０００３】
このように連段窓では、窓ユニットが連結されて形成されるので、連結部における水密性能、すなわち止水構造が重要である。例えば特許文献１には連段窓の止水に関する技術が開示されている。
【先行技術文献】
【特許文献】
【０００４】
【特許文献１】特許第２７８９１７４号公報
【発明の概要】
【発明が解決しようとする課題】
【０００５】
しかしながら、特許文献１をはじめとする従来の連段窓では、窓ユニットの連結部のうち、特に連段窓の外周部となる端部において、水密性能が十分でないことがあった。
【０００６】
そこで本発明は、上記問題に鑑み、連段窓の窓ユニット間の連結部のうち、該連段窓の外周部となる部位における水密性能を向上させることができる連段窓を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、縦枠（１３、１４、２３、２４、３３、３４、４３、４４）及び横枠（１１、１２、２１、２２、３１、３２、４１、４２）が枠組みされて形成された枠体（１５、２５、３５、４５）と、その枠内に配置されるパネル（１６、２６、３６、４６）と、を備える窓ユニット（１０、２０、３０、４０）が、縦又は横の少なくとも一方に並べられて連結されて構成される連段窓（１）であって、窓ユニットの連結部には、少なくとも１つの止水ライン（５０ｂ、５０ｂ、５０ｅ、５０ｅ、６１ｂ、６１ｄ、６１ｄ）が設けられ、窓ユニットの連結部の内側のうち、連段窓の外周端部側には１つの止水ラインに接するように設けられ、該接する部位にシール部材が具備される端部部材（５５、６５）が配置される、連段窓である。
【０００９】
ここで「連段窓」とは、連窓、段窓、及び連段窓の総称としての連段窓を意味する。
【００１０】
請求項２に記載の発明は、請求項１に記載の連段窓（１）において、少なくとも１つの止水ライン（５０ｂ、５０ｂ、５０ｅ、５０ｅ、６１ｂ、６１ｄ、６１ｄ）の見込み方向室外側となる部位に、他の止水ライン（５０ｄ、５０ｄ、６１ａ、６１ｃ、６１ｃ）が設けられることを特徴とする。
【００１１】
請求項３に記載の発明は、請求項１又は２に記載の連段窓（１）において、端部部材（５５、６５）のうち、連段窓の外周端部側となる面には、端部部材、及び縦枠（１３、１４、２３、２４、３３、３４、４３、４４）又は横枠（１１、１２、２１、２２、３１、３２、４１、４２）の端部を覆うように板状の被覆部材（５７、６７）が取り付けられていることを特徴とする。
【発明の効果】
【００１２】
本発明によれば、連段窓の窓ユニット間連結部のうち、連段窓の外周部となる部位における水密性能が向上した連段窓を提供することができる。
【図面の簡単な説明】
【００１３】
【図１】１つの実施形態にかかる連段窓１を、室外側から見た斜視図である。
【図２】図１のＩＩ−ＩＩ断面図である。
【図３】図１のＩＩＩ−ＩＩＩ断面図である。
【図４】図１のＩＶ−ＩＶ断面図である。
【図５】図１のＶ−Ｖ断面図である。
【図６】図１のＶＩ−ＶＩ断面図である。
【図７】図１のＶＩＩ−ＶＩＩ断面図である。
【発明を実施するための形態】
【００１４】
本発明の上記した作用及び利得は、次に説明する発明を実施するための形態から明らかにされる。以下本発明を図面に示す実施形態に基づき説明する。ただし、本発明はこれら実施形態に限定されるものではない。
【００１５】
図１は１つの実施形態に係る連段窓１の斜視図で、建物に取り付けられたときに室外側となる側から見た図である。図１からわかるように、連段窓１は、窓ユニット１０、２０、３０、４０が縦横に並べられ、これらが連結されて形成されている。
【００１６】
図２〜図７には、窓ユニット１０、２０、３０、４０の連結部分の態様を説明する図を示した。詳しくは次の通りである。
図２は、図１にII-IIで示した線に沿った水平方向断面図で、窓ユニット３０と窓ユニット４０との連結部分の代表的な形態を説明する図である。
図３は、図１にIII-IIIで示した線に沿った水平方向断面図で、窓ユニット３０と窓ユニット４０との連結部分のうち、下端部の形態を説明する図である。
図４は、図１にIV-IVで示した線に沿った垂直方向断面図で、窓ユニット３０と窓ユニット４０との連結部分のうち、下端部の形態を説明する図である。
図５は、図１にV-Vで示した線に沿った垂直方向断面図で、窓ユニット１０と窓ユニット３０との連結部分の代表的な形態を説明する図である。
図６は、図１にVI-VIで示した線に沿った垂直方向断面図で、窓ユニット１０と窓ユニット３０との連結部分のうち、連段窓１の外周端部側の形態を説明する図である。
図７は、図１にVII-VIIで示した線に沿った水平方向断面図で、窓ユニット１０と窓ユニット３０との連結部分のうち、連段窓１の外周端部側の形態を説明する図である。
図２、図３、及び図７では紙面上が室内側、紙面下が室外側を示し、図４〜図６では紙面左が室外側、紙面右が室内側を示す。
【００１７】
窓ユニット１０、２０、３０、４０は、それぞれ横枠としての上横枠１１、２１、３１、４１、下横枠１２、２２、３２、４２、及び左右の縦枠１３、１４、２３、２４、３３、３４、４３、４４を有し、これらが枠組みされて枠体１５、２５、３５、４５を形成している。そして該枠体１５、２５、３５、４５の枠内にパネル１６、２６、３６、４６が配置されている。
【００１８】
上横枠１１、２１、３１、４１、下横枠１２、２２、３２、４２、左右の縦枠１３、１４、２３、２４、３３、３４、４３、４４は、連段窓１として形成される際に隣接する窓ユニットに連結することができる形状を具備している。すなわち、連段窓１では、左右方向（連窓方向）には、窓ユニット１０の縦枠１４と、窓ユニット２０の縦枠２３とが連結され、窓ユニット３０の縦枠３４と、窓ユニット４０の縦枠４３とが連結される。さらに、上下方向（段窓方向）には、窓ユニット１０の下横枠１２と窓ユニット３０の上横枠３１とが連結され、窓ユニット２０の下横枠２２と窓ユニット４０の上横枠４１とが連結される。以下に、連結の態様について詳しく説明する。
【００１９】
左右に隣り合う窓ユニット３０、４０の連結部について縦枠３４と縦枠４３とを例に、図２〜図４を参照しつつ説明する。
図２からわかるように、縦枠３４と縦枠４３とは左右方向に隣り合って配置され、その間に連結部材５０が具備される。縦枠３４と縦枠４３とは連結部材５０を介在して連結される。連結部材５０は下端部を除いて図２に示した断面を概ね維持して紙面奥／手前方向、すなわち連段窓１の上下方向に延在している。
【００２０】
連結部材５０は、図２に現れる断面において見込み方向に延びる片５０ａを有している。片５０ａの見込み方向室外側端部（図２の紙面下側）は、縦枠３４、４３の室外側端部が係合している。一方、片５０ａの見込み方向室内側端部（図２の紙面上側）には見付方向に延びる片５０ｃ、５０ｃが設けられており、当該片５０ｃ、５０ｃと縦枠３４、４３とが固定部材５１、５１により固定されている。これにより縦枠３４、４３は連結部材５０により連結される。
【００２１】
また、片５０ａの室外側端部と、片５０ｃ、５０ｃとの間には、見付方向に延在する片５０ｂ、５０ｂが設けられている。片５０ｂ、５０ｂの先端には第一シール部材５０ｅ、５０ｅが配置され、縦枠３４、４３に接触している。これにより第一止水ライン（１つの止水ライン）が形成される。
さらに、第一シール部材５０ｅ、５０ｅよりも見込み方向室外側で、片５０ａの室外側端部との間には、片５０ａの両面側のそれぞれに第二シール部材５０ｄ、５０ｄが配置されている。第二シール部材５０ｄ、５０ｄはその先端が縦枠３４、４３に接触して縦枠における第二止水ライン（他の止水ライン）を形成している。
このように、縦枠間には見込み方向に並ぶ２つの止水ラインが形成されており、水密性能の向上を図っている。
【００２２】
また、縦枠３４、４３及び連結部材５０の室内側面を覆うようにカバー部材５２が被せられている。ここで、カバー部材５２の縦枠３４、４３への取り付けの手段は特に限定されるものではないが、外観向上の観点から固定部材を用いることなく嵌めこまれる態様であることが好ましい。本実施形態では、図２に５２ａ、５２ａで表わした凸部が、縦枠３４、４３に形成した係合凹部３４ａ、４３ａに係合することにより嵌めこまれている。
【００２３】
一方、左右に隣り合う窓ユニット３０、４０の連結部のうち、下端部の態様について図３、図４を参照しつつ説明する。左右に連結される窓ユニット３０、４０の連結部の下端部では、第二止水ラインを形成する第二シール部材５０ｄ、５０ｄ及びその周りの片５０ａの一部が切り欠かれ、ここに端部部材５５が配置されている。端部部材５５は、略直方体である基体５５ａと、シール部材５５ｂとを備えている。
基体５５ａは、直方体のブロック状の部材であり、その下面（図４の紙面下側の面）が連結部材５０（縦枠３４、４３）の下端と概ね同じ位置となるように固定部材５６により連結部材５０に固定されている。基体５５ａの上面（図４の紙面上側の面）は、見込み方向外側が低くなるような傾斜が設けられ、この面と第二シール部材５０ｄ、５０ｄとの間には若干の間隙が設けられている。また、基体５５ａの左右方向（図３の左右方向）の大きさは縦枠３４と縦枠４３との間隙と概ね同じとされている。ただし基体５５ａと縦枠３４、４３との間には後述するシール部材５５ｂが配置される。基体５５ａの見込方向室内側面は、図３、図４からわかるように連結部材５０の片５０ｂ、５０ｂ（第一シール部材５０ｅ、５０ｅ）に近付けて配置され、その間にシール部材５５ｂが満たされるように具備される。
シール部材５５ｂは、上記したように、基体５５ａの面のうち左右方向で縦枠３４、４３に面する面、及び見込方向室内側面の３つの面に亘って基体５５ａを囲むように配置される。
【００２４】
本実施形態では、端部部材５５は固定部材５６により連結部材５０に固定されるものとした。しかし、端部部材５５の固定手段はこれに限定されることはなく、端部部材が適切に固定されればよい。従って、嵌合や接着等のような他の手段であってもよい。
【００２５】
また、図４からわかるように、端部部材５５の下端部には、板状の部材である被覆部材５７が係合して取り付けられている。被覆部材５７は、端部部材５５を含めて縦枠３４、４３の下端部を被覆するように設けられている。
【００２６】
以上のような端部部材５５により、左右に隣り合う窓ユニットの連結部下端において、止水性能を向上させることができる。すなわち、第一止水ラインと第二止水ラインとの間に侵入した水は、図４に矢印Ａで示したように、端部部材５５の上面を室外側に伝わって落下し、さらに被覆部材５７の上面を移動して排水される。ここで、端部部材５５の左右及び室内側は、シール部材５５ｂによりシールされているので、これより室内側への水の侵入が防止される。
【００２７】
次に上下に隣り合う窓ユニット１０、３０の連結部について下横枠１２と上横枠３１とを例に、図５〜図７を参照しつつ説明する。
図５からわかるように、下横枠１２と上横枠３１とは上下方向に隣り合って配置され、その間に連結部材６０が具備される。下横枠１２と上横枠３１とは連結部材６０を介在して連結される。連結部材６０は連段窓１の外周側端部を除いて図５に示した断面を概ね維持して紙面奥／手前方向、すなわち連段窓１の左右方向に延在している。
【００２８】
連結部材６０は、図５に現れる断面において、室外側部材６１と室内側部材６２とを有し、該２つの部材が樹脂製のブリッジ材６３、６３により連結されている。これにより断熱性を向上させることができる。室外側部材６１が、下横枠１２、上横枠３１の室外側端部と係合している。一方、室内側部材６２が下横枠１２、及び上横枠３１の室内側に固定部材６４、６４により固定されている。これにより下横枠１２、上横枠３１は連結部材６０により連結される。本実施形態では、断熱性向上の観点から、連結部材６０はブリッジ材を用いた構造としたが、これに限定されるものではない。例えば室内側部材と室外側部材との区別がない一体型であってもよく、また室内側部材と室外側部材とが別の手段により連結されているものであってもよい。
【００２９】
また、室外側部材６１の室内側には、見付方向上下に延在する片６１ｂが設けられている。片６１ｂの上下両端部には第一シール部材６１ｄ、６１ｄが配置され、下横枠１２、上横枠３１に接触している。これにより第一止水ライン（１つの止水ライン）が形成される。
さらに、片６１ｂの室外側で室外側部材６１の室外側端部との間には、見付方向上下に延びる片６１ａが設けられ、その上下両端部のそれぞれに第二シール部材６１ｃ、６１ｃが配置されている。第二シール部材６１ｃ、６１ｃは下横枠１２、上横枠３１に接触して横枠における第二止水ライン（他の止水ライン）を形成している。
このように、横枠間には見込み方向に並ぶ２つの止水ラインが形成されており、水密性能の向上を図っている。
【００３０】
また、下横枠１２、上横枠３１及び連結部材６０の室内側面を覆うようにカバー部材６６が被せられている。ここで、カバー部材６６の下横枠１２、上横枠３１への取り付けの手段は特に限定されるものではないが、外観の向上の観点から固定部材を用いることなく嵌めこまれる態様であることが好ましい。本実施形態では、図５に表わした係合片６６ａ、６６ａ、６６ｂ、６６ｂが、連結部材６０に設けられた被係合片６０ａ、６０ａ、６０ｂ、６０ｂに係合することにより嵌めこまれている。
【００３１】
一方、上下に隣り合う窓ユニット１０、３０の連結部のうち、連段窓１の外周側端部の態様について図６、図７を参照しつつ説明する。上下に連結される窓ユニット１０、３０の連結部のうち、連段窓１の外周部側端部では、片６１ａと片６１ｂとの間に端部部材６５が配置されている。端部部材６５は、略直方体である基体６５ａと、シール部材６５ｂとを備えている。
基体６５ａは、直方体のブロック状の部材であり、その連段窓１端面側の面（図７の紙面右側の面）が連結部材６０の端部と概ね同じ位置となるように固定部材６７により連結部材６０に固定されている。基体６５ａの上下方向（図６の上下方向）大きさは下横枠１２と上横枠３１との間隙と概ね同じとされている。ただし基体６５ａと下横枠１２、上横枠３１との間には後述するシール部材６５ｂが配置される。基体６５ａの見込み方向大きさは、図６、図７からわかるように連結部材６０の片６１ａ（第二シール部材６１ｃ、６１ｃ）と片６１ｂ（第一シール部材６１ｄ、６１ｄ）との間を埋めるように配置され、その間にシール部材６５ｂが満たされるように具備される。
シール部材６５ｂは、上記したように、基体６５ａの面のうち上下及び室外側面及び室内側面に亘って基体６５ａを囲むように配置される。
【００３２】
本実施形態では、端部部材６５は固定部材６７により固定されるものとした。しかし、端部部材６５の固定手段はこれに限定されることはなく、端部部材が適切に固定されればよい。従って、嵌合や接着等のような他の手段であってもよい。
【００３３】
また、図７からわかるように、端部部材６５のうち、連段窓１の端面側の面には、板状の部材である被覆部材６８が配置されている。被覆部材６８は連結部材６０に固定部材６９により取り付けられている。被覆部材６８は、端部部材６５を含めて下横枠１２、上横枠３１の端部を被覆するように設けられている。そして、被覆部材６７は端部部材６５に密着されて止水性を向上させている。従って、被覆部材６８の面のうち端部部材６５と接する面側にはシール材が設けられていることが好ましい。
【００３４】
以上のような端部部材６５により、上下に隣り合う窓ユニットの連結部の端部において、止水性能を向上させることができる。すなわち、端部における止水が向上され、雨水の侵入自体を防止することが可能となる。
【００３５】
以上、窓ユニットの連結について説明した。ここでは、縦枠３４、４３の連結、下横枠１２と上横枠３１との連結を例に説明したが、他の部位の連結も同様におこなわれる。
【００３６】
図１に戻って、連段窓１について説明を続ける。パネル１６、２６、３６、４６は、各窓ユニット１０、２０、３０、４０の枠体１５、２５、３５、４５に外周端部を固定されることにより、該枠体の内側に固定される面材である。通常、パネルとしては、単層のガラスパネル、複層のガラスパネルが適用され、又はこれらパネルの外周端部に框を設けたいわゆる障子を配置してもよい。本実施形態では複層ガラスパネルを用いている。
【００３７】
本実施形態では、窓ユニット１０、２０、３０、４０同士の連結を連結部材５０、６０により行ったが、これに限定することはなく、直接に縦枠同士、又は横枠同士が連結される態様であってもよい。
【００３８】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う連段窓も本発明の技術的範囲に包含されるものとして理解されなければならない。
【符号の説明】
【００３９】
１  連段窓
１０、２０、３０、４０  窓ユニット
１１、２１、３１、４１  上横枠
１２、２２、３２、４２  下横枠
１３、２３、３３、４３  縦枠
１４、２４、３４、４４  縦枠
１５、２５、３５、４５  枠体
１６、２６、３６、４６  パネル
５０、６０  連結部材
５５、６５  端部部材
【図１】
2011236608.tif 000003
【図２】
2011236608.tif 000004
【図３】
2011236608.tif 000005
【図４】
2011236608.tif 000006
【図５】
2011236608.tif 000007
【図６】
2011236608.tif 000008
【図７】
2011236608.tif 000009